(57)【要約】      （修正有）【課題】機能部品、操作部品、端子及びディスプレイの中の一つ以上を筐体前部に配置する、インターコムネットワーク用通話装置を提供する。【解決手段】筐体前部には多数のプログラミング可能な操作部品と複数のディスプレイが密に混み合って配置され、操作部品は多数の選択キーを備え、通話装置１０は、選択キーの操作により中継装置１９を介したインターコムネットワーク１１の選択された別の通話装置１８ａ、１８ｂとの直接的な聴取接続及び／又は通話接続を提供する。筐体裏側には、電源端子、データケーブル端子、ＢＮＣ端子などの多数の端子が配置され、通話装置には、少なくとも一つのスピーカが固定して配置され、スピーカは筐体前部と筐体裏側の間の収容空間内に筐体前部に対して後方にずらして収容される。スピーカは、音放出面を有し、音が音放出面から筐体前部の開口部にまで伝播して、開口部が音放出面の数分の１である開口横断面を有する。【選択図】図４
2019103131.tif 000002
【特許請求の範囲】
【請求項１】
筐体前部（１３）と筐体裏側（１４）を有する特に平行６面体形状の筐体（１２）を備えた、インターコムネットワーク（１１）用の通話装置（１０）であって、
この筐体前部（１３）には、複数の特別にプログラミング可能な操作部品（１５ａ，１５ｂ，１５ｃ，１５ｄ）と複数のディスプレイ（１６ａ，１６ｂ，１６ｃ，１６ｄ）が密に混み合って配置され、
これらの操作部品は、複数の選択キー（１７ａ，１７ｂ，１７ｃ，１７ｄ）を備え、
この通話装置は、操作員による選択キーの操作により、中継装置（１９）を介した、インターコムネットワークの選択された別の通話装置（１８ａ，１８ｂ）との直接的な聴取接続及び／又は通話接続を提供し、
この筐体裏側（１４）には、電源端子、データケーブル端子、ＢＮＣ端子のような複数の端子（２０ａ，２０ｂ，２０ｃ，２０ｄ）が配置され、
この通話装置には、少なくとも一つのスピーカ（２４ａ，２４ｂ）が固定して配置され、
このスピーカは、筐体前部（１３）と筐体裏側（１４）の間の収容空間（２５）内に、筐体前部（１３）に対して相対的に後方にずらして（２６）収容され、
このスピーカ（２４ａ，２４ｂ）は、音放出面（２７）を有し、音が、その音放出面から筐体前部（１３）の開口部（２８）にまで伝播して、この開口部が、音放出面（２７）の僅か数分の１である開口横断面（２９）を有する、
通話装置。
【請求項２】
前記の開口部（２８，２８ａ，２８ｂ）が狭いスリット（３０，３０ａ，３０ｂ）から形成されることを特徴とする請求項１に記載の通話装置。
【請求項３】
前記のスリット（３０，３０ａ，３０ｂ）が垂直方向（３１）に延びることを特徴とする請求項２に記載の通話装置。
【請求項４】
前記の開口横断面（２９）が、音放出面（２７）の少なくとも１／２であるか、特に、少なくとも１／３であるか、更に特別には、少なくとも１／４であるか、更に特別には、少なくとも１／５であるか、更に特別には、少なくとも１／６であるか、更に特別には、少なくとも１／７であることを特徴とする請求項１から３までのいずれか一つに記載の通話装置。
【請求項５】
前記の筐体前部（１３）が四角形の、或いはほぼ四角形の基礎面（３３）を有することを特徴とする請求項１から４までのいずれか一つに記載の通話装置。
【請求項６】
前記の開口部（２８，２８ａ，２８ｂ）が、前記の基礎面の側方縁部（３４ａ，３４ｂ）の近くに配置されていることを特徴とする請求項５に記載の通話装置。
【請求項７】
前記のスピーカ（２４ａ，２４ｂ）が、筐体（１２）の側方壁面（３５ａ，３５ｂ）の近くに配置されていることを特徴とする請求項１から６までのいずれか一つに記載の通話装置。
【請求項８】
前記のスピーカ（２４ａ，２４ｂ）の音放出面（２７）と開口部（２８，２８ａ，２８ｂ）の間に、拡声部（３６）が配置されていることを特徴とする請求項１から７までのいずれか一つに記載の通話装置。
【請求項９】
前記の拡声部（３６）が、筐体の構成部品から形成された壁面区画（３７ａ，３７ｂ）及び／又は筐体と別個の部品から形成された壁面区画（３７ａ，３７ｂ）を有することを特徴とする請求項８に記載の通話装置。
【請求項１０】
前記の音放出面（２７）が、筐体前部（１３）に対して傾斜して、特に、鋭角（α）に傾斜して、更に特別には、４５°又は約４５°の角度だけ傾斜して配置されているか、或いは前記のスピーカ（２４ｃ）の音放出面（２７）が、筐体（１２）の側方壁面（３５ｂ）に対して平行な方向又はほぼ平行な方向に向けられていることを特徴とする請求項１から９までのいずれか一つに記載の通話装置。
【請求項１１】
一つの選択キー（１７ａ，１７ｂ，１７ｃ，１７ｄ）が、三つの異なる位置（３９ａ，３９ｂ，３９ｃ）を占めることができて、中央位置（４０）に向かって付勢されていることを特徴とする請求項１から１０までのいずれか一つに記載の通話装置。
【請求項１２】
この通話装置が二つのスピーカ（２４ａ，２４ｂ）を有することを特徴とする請求項１から１１までのいずれか一つに記載の通話装置。
【請求項１３】
前記の筐体前部（１３）には、側方において外側に向かって突出した固定区画（４２ａ，４２ｂ）が配置され、これらの固定区画が、それぞれ固定手段を通すための開口（４３）を有することを特徴とする請求項１から１２までのいずれか一つに記載の通話装置。
【請求項１４】
この通話装置に、少なくとも一つのマイクロフォンが固定して配置されていること及び／又は、
この通話装置（１０）の筐体前部（１３）に、マイクロフォン用の少なくとも一つの端子が固定して配置されていることを特徴とする請求項１から１３までのいずれか一つに記載の通話装置。
【請求項１５】
前記の筐体前部（１３）には、ヘッドセット用の少なくとも一つの端子（４６）が配置されていることを特徴とする請求項１から１４までのいずれか一つに記載の通話装置。
【請求項１６】
前記の開口部（２８，２８ａ，２８ｂ）が把手部品（４７ａ，４７ｂ）によって覆われていることを特徴とする請求項１から１５までのいずれか一つに記載の通話装置。
【請求項１７】
筐体前部（１３）と筐体裏側（１４）を有する特に平行６面体形状の筐体（１２）を備えた、インターコムネットワーク（１１）用の通話装置（１０）であって、
この筐体前部（１３）には、複数の特別にプログラミング可能な操作部品（１５ａ，１５ｂ，１５ｃ，１５ｄ）と複数のディスプレイ（１６ａ，１６ｂ，１６ｃ，１６ｄ）が密に混み合って配置され、
これらの操作部品は、複数の選択キー（１７ａ，１７ｂ，１７ｃ，１７ｄ）を備え、
この通話装置は、操作員による選択キーの操作により、インターコムネットワークの選択された別の通話装置（１８ａ，１８ｂ）との直接的な聴取接続及び／又は通話接続を提供し、
この筐体裏側（１４）には、電源端子、データケーブル端子、ＢＮＣ端子のような複数の端子（２０ａ，２０ｂ，２０ｃ，２０ｄ）が配置され、
この通話装置には、少なくとも一つのスピーカ（２４ａ，２４ｂ）が固定して配置され、
このスピーカは、筐体前部（１３）と筐体裏側（１４）の間の収容空間（２５）内に、筐体前部（１３）に対して相対的に後方にずらして（２６）収容され、
このスピーカ（２４ａ，２４ｂ）は、音放出面（２７）を有し、音が、その音放出面から筐体前部（１３）の開口部（２８）にまで伝播して、この開口部が、音放出面（２７）の僅か数分の１である開口横断面（２９）を有する、
通話装置。
【発明の詳細な説明】
【技術分野】
【０００１】
本発明は、請求項１に記載のインターコムネットワーク用通話装置に関する。
【背景技術】
【０００２】
出願人は、３０年以上前からインターコムネットワークとその部品、所謂通話装置を開発、製造してきた。
【０００３】
従来技術による通話装置は、特許文献１と出願人の再公表された特許文献２〜６に開示されている。
【０００４】
本発明による形式の通話装置は、インターコムネットワークで使用される。インターコムネットワークを介して、音声データが伝送される。インターコムネットワークは、催し物の分野において、ライブイベントに、例えば、スポーツイベントや音楽イベントに用いられる場合に、相互通話設備の非常に複雑に構成されたネットワークを提供する。
【０００５】
「通話装置」との用語は、本出願の範囲内において、「インターコムパネル」、「インターコムユニット」、「インターコムステーション」又は「インターコムネットワーク加入機器」との用語と同義語としても使用される。
【０００６】
既知の形式の通話装置は、その筐体前部又は前側に、多数の操作部品、ファンクションキー、選択キー、端子及びディスプレイを有する。その筐体前部上において利用可能なスペース又は利用可能な設置面は限られている。操作部品、機能部品、端子及びディスプレイを配置するためのスペースは、例えば、通話装置が、所与のラック、即ち、組立フレーム内において、そのラックに通話装置を固定することを目的として、通話装置をスライドさせることを可能にするサイズを有するべきであるとの理由から制限されている。テーブル上に設置できる通話装置も知られている。
【０００７】
いずれの場合でも、取付フレームのサイズが予め規定されることから、一方において、通話装置のサイズも規定され、他方において、出来る限り多くの異なる操作部品、機能部品及びディスプレイを収納するとの要求が発生する。しかし、多数の機器のための設置面は、任意に拡大できていない。
【先行技術文献】
【特許文献】
【０００８】
【特許文献１】ドイツ特許公開第１０２０１４０１１９６３号明細書
【特許文献２】ドイツ特許公開第１０２０１７１０７１４８号明細書
【特許文献３】ドイツ特許公開第１０２０１７１０７１５０号明細書
【特許文献４】ドイツ特許公開第１０２０１７１０６９４６号明細書
【特許文献５】ドイツ特許公開第１０２０１７１１６００２号明細書
【特許文献６】ドイツ特許公開第１０２０１７１１６２７３号明細書
【発明の概要】
【発明が解決しようとする課題】
【０００９】
上記のことを出発点として、本発明の課題は、機能部品、操作部品、端子及びディスプレイの中の一つ以上を筐体前部に配置する改善された手法を提供するように、既知の形式の通話装置を更に発展させることである。
【課題を解決するための手段】
【００１０】
本発明は、請求項１の特徴により本課題を解決する。
【００１１】
本発明では、少なくともスピーカが、通話装置に固定して配置される。有利には、二つ又はそれを上回る数のスピーカが、通話装置に固定して配置される。
【００１２】
本発明では、スピーカは、筐体前部と筐体裏側の間の収容空間内に収容される。この場合、スピーカは、筐体前部に対して後方にずらして配置される。それは、スピーカが、従来技術の通り、前側の筐体パネルの直ぐ後ろに存在するのではなく、それと異なり、筐体前部を形成する筐体の壁の内側から離して、明らかに、即ち、少なくとも数ミリメートル、有利には、数センチメートル後方にずらして配置されることを意味する。
【００１３】
スピーカは、音放出面を有する。その面は、特に、ほぼ従来通り構成されたスピーカの従来の振動板である。この音放出面は、例えば、円形に構成することができる。しかし、その放出面は、それ以外の輪郭を有することもできる。
【００１４】
スピーカから放出された音は、音放出面から、筐体前部の開口部にまで伝播する。本発明では、筐体前部の開口部は、音放出面よりも明らかに小さい開口横断面を有すると規定される。この開口部は、音放出面の僅か数分の１である開口横断面を有する。この場合、開口横断面は、少なくとも音放出面の１／２よりも小さい。
【００１５】
本出願の意味において、「数分の１」とは、いかなる場合でも５０％を上回らない割合である。
【００１６】
筐体前部からスピーカを離すことによって、例えば、拡声部の設置をも可能にする、音を伝播する役割を果たす通路を筐体内に形成することができる。この音の伝播空間又は通路に沿って、スピーカから放出された音が圧縮されて、筐体前部の小さい開口部に集束される。この小さい開口部を通して、音を放出することができる。スピーカを筐体前部から離して、即ち、後方にずらして配置することによって、筐体前部に、追加の設置面又は配置面が開かれて、その面に沿って、別の操作部品、ディスプレイ又は端子を配置するか、或いは如何なる場合でも操作部品の領域又は区画、或いはディスプレイの領域又は区画を配置することができる。
【００１７】
従来技術では、スピーカのために筐体前部の大きな割合の面が留保されていた。それは、スピーカを筐体前部に直に配置すること及び／又は取り付けることを伴っていた。それと異なり、本発明によるスピーカ位置の変更によって、部品及びディスプレイのためのより大きな設置空間を筐体前部に得ることができる。しかし、本発明では、それは、オーディオ品質を損なうことにはならない。ここでは、例えば、別個の拡声部の配置による措置などの特別な措置として、音放出面から小さい開口部に向かう特に有利で最適化された音波の伝播形態及び圧縮形態を実現することができる。
【００１８】
本発明には、特に、スピーカの音放出面の各々が、筐体前部の単一の開口部にのみ割り当てられる場合も含まれる。しかし、本発明の一つの変化形態では、開口部を複数の部分開口部に分割することもできる。これらの部分開口部は、互いに間隔を開けて筐体前部に配置することもできる。最後に、本発明には、スピーカに二つ以上の拡声部を割り当てて、それらの拡声部を筐体前部の別個の部分開口部に案内する場合も含まれる。しかし、本発明のこの代替形態においても、複数の部分開口部を通過する、筐体前部における部分開口部用の設置面又は配置面の合計は、スピーカの音放出面よりも明らかに小さいと規定される。そうでなければ、本発明で意図する、追加の設置面が筐体前部に獲得されるとの利点は得られない。
【００１９】
本発明による通話装置は、特に平行６面体形状の筐体を有する。この筐体は、高さが低く、その高さと比べて奥行きが長く、横幅が長いブロック状の部品である。この部品は、ラック形状に構成され、ラック形状の間仕切りに適している。
【００２０】
本発明による通話装置は、筐体前部と筐体裏側を有する。筐体前部には、多数の操作部品、端子及び複数のディスプレイが密に混み合って配置される。これらの操作部品は、特に、プログラミング可能である。これらの操作部品の中の少なくとも幾つかは、プログラミング可能である。「プログラミング可能」とは、選択によって、即ち、プログラミングにより、異なる機能を操作部品に割り当て可能であることを意味する。そのために、通話装置自体に、或いは通話装置と接続された中継装置の助けを借りて、プログラミング可能形態を実現することができる。通常、プログラミング可能形態の手法は、操作部品に異なる機能を割り当て可能であることを含む。そのようにして、所定の選択キーは、操作後に（プログラミングに応じて）別の第一の通話装置又は別の第二の通話装置とのオーディオ接続を構築できるようにする。
【００２１】
本発明による通話装置は、複数のディスプレイを有する。これらのディスプレイは、操作部品に割り当てられた、或いは割り当てることが可能な情報、パラメータ及び機能の中の一つ以上を表示する表示器を有する。特に、ディスプレイは、各操作部品との空間的な関係を有する、更に、内容的な関係も有する領域又は区画を含むことができる。その限りにおいて、通話装置の使用者は、ディスプレイを見ることによって、例えば、如何なる操作部品が如何なる機能を有するのかを知ることができる。
【００２２】
例えば、本発明による通話装置は、操作により別の通話装置との聴取接続及び／又は通話接続を保証する多数の選択キーを備えることができる。ディスプレイには、（個々の操作部品に直に空間的に割り当てることにより）、所定の操作部品の操作の前又は後に、その通話装置が如何なる別の通話装置とのオーディオ接続を構築できるのかを表示することができる。そのために、例えば、別の通話装置に従事している人の使用者名をディスプレイに表示することができる。それに代わって、名称、符号、番号又はそれらと同等のものを通話装置に割り当てることもできる。
【００２３】
選択キーは、例えば、三つの位置、即ち、選択キーが予め付勢されている中央位置又は休止位置を有することができる。各選択キーは、二つの停止位置又は二つの動作位置、例えば、一つの上方の動作位置又は切換位置と一つの下方の動作位置又は切換位置とを有することができる。そのために、所定の機能を起動するために、選択キーを押された状態に保持しなければならないと規定することができる。そのようにして、例えば、中央位置を出発点として、上方に、或いはそれに代わって下方に選択キーをずらすことができ、上方の方向に沿った選択キーの操作時には、通話接続が実現され、下方への同じ選択キーの操作時には、同じ別の通話装置との聴取接続が実現される。
【００２４】
インターコムネットワークの選択された別の通話装置との本発明による通話装置の聴取接続及び／又は通話接続は、中継装置を介して提供される。インターコムネットワークは、その中継装置で管理される。
【００２５】
本発明による通話装置は、その筐体裏側に多数の端子を備える。それらには、例えば、電源端子、データケーブル端子、ＢＮＣ端子及びそれらと同等の端子が属する。特に、この場合、この通話装置を中継装置に接続するための端子も有る。
【００２６】
通常、通話装置の記述及びその特徴の説明のために、出願人の前に挙げた特許出願を参照し、繰り返しを避けるために、本特許出願の請求項において、ここで述べる個々の特徴を関連付けて、包含することをも目的として、それらに関する内容全体を参照する。
【００２７】
本発明による通話装置は、インターコムネットワークの選択された別の通話装置との聴取接続及び／又は通話接続を提供することを可能にする。しかし、本発明には、オーディオデータの伝送に加えて、ビデオ信号及び／又はデータ信号も一緒に伝送及び／又は受信できる通話装置も含まれる。例えば、本発明には、通話装置に取り付けられたディスプレイ又は表示器に更にビデオ信号を表示又は再生できる通話装置も含まれる。
【００２８】
聴取接続及び／又は通話接続の提供と共に伝送されるデータ、信号又は情報は、例えば、ステータス情報を伝送するために用いることができる。例えば、インターコムネットワークの所定の通話装置に「ここで、キー３が緑に点灯」などの情報を伝送することができる。
【００２９】
本発明の有利な実施形態では、開口部は、長く延びる幅の狭いスリットから構成される。それによって、開口部を特に小さく構成すると同時に、スピーカが発生する音を通過させるのに十分な大きさの開口横断面を保証する手法が提供される。
【００３０】
最後に、これにより、一方において、筐体前部において開口部に必要な所要スペースを最小化することができる。他方において、このようにして構成された開口部は、通話装置のオーディオ特性を劣化させること無く、別の部品により、例えば、把手部品により架橋する、或いは跨ぐことができる。
【００３１】
本発明の別の有利な実施形態では、このスリットは、垂直方向又はほぼ垂直方向に延び、それによって、開口部を筐体の側方壁面区画の出来る限り近くに配置して、操作部品及びディスプレイを配置するために、筐体前部における全設置面を出来る限り切れ目の無い幅で形成する手法が得られる。
【００３２】
本発明の別の有利な実施形態では、開口部の開口横断面は、音放出面の少なくとも１／２以内、更に有利には、少なくとも１／３以内、更に有利には、少なくとも１／４以内、更に特別には、少なくとも１／５以内、更に特別には、少なくとも１／６以内、更に特別には、少なくとも１／７以内である。それにより、スピーカの音放出面より著しく小さい内側幅又は内側横断面を有する開口部が規定される。
【００３３】
開口横断面が音放出面よりも明らかに小さいことによって、通話装置のために、高品質なスピーカを使用すると同時に、通話装置のオーディオ品質を劣化させること無く、操作部品、ディスプレイ、端子、ジャック及びそれらと同等の物のために、従来技術と比べて拡大された配置面又は設置面を筐体前部に実現することができる。
【００３４】
本発明の別の有利な実施形態では、筐体前部は、四角形又はほぼ四角形の基本形状を有する。それによって、本発明による通話装置は、従来技術による通話装置に準拠した寸法で構成することができる。それは、従来の部材及び部品に、例えば、ラック、保持フレーム又は組立フレームに通話装置を固定するために、従来の固定部品に頼ることを可能にする。
【００３５】
本発明の別の有利な実施形態では、開口部は、基礎面の側方縁部の近くに配置される。それによって、筐体前部における操作部品、ディスプレイ、端子及びジャック、或いはそれら以外の機能部品のための配置面又は設置面を切れ目が無いようにするとともに、最大化することができる。
【００３６】
本発明の別の有利な実施形態では、スピーカは、筐体の側壁又は壁面の近くに配置されると規定される。それによって、例えば、筐体の側方筐体壁に直に、或いはその壁に対して相対的にスピーカを簡単に固定又は取り付けることができるので、スピーカを特に簡単に取り付ける手法が得られる。他方において、それによって、操作員が筐体を把持できるようにするための把手部品を筐体前部に配置して、その把手部品が開口部を跨ぐ、或いはその上方を覆うと同時に、従来通り、筐体の側方に配置されるように、把手部品の位置を決める手法が得られる。
【００３７】
本発明の別の有利な実施形態では、スピーカの音放出面と開口部の間に拡声部が配置される。この拡声部は、音を反射して伝播させるための一つ又は複数の壁面を有することができる。この拡声部は、スピーカの音放出面から開口部に向かって小さくなる、特に、連続して小さくなる横断面を有する。
【００３８】
この場合、拡声部の壁は、筐体の壁部品に、例えば、筐体の側壁に頼ることができる。この拡声部は、専ら、或いは部分的に、通話装置の筐体の壁と別個の部品から構成することもできる。例えば、拡声部の壁は、金属又はプラスチックから構成することができる。
【００３９】
この拡声部は、スピーカの音放出面から小さな開口部に向かって音を伝播させるとの特別な必要性に適合させるか、或いはそれに合わせて最適化することができる。特に、この拡声部の材料の選択と壁領域の幾何学的形状は、通話装置のオーディオ要件を考慮して最適化することができる。
【００４０】
本発明では、特に、平坦な面又はほぼ平坦な面の筐体前部が提供されると規定される。この場合、「ほぼ平坦な」との用語は、機能部品、操作部品、端子ジャック又はディスプレイのために、その面からの僅かなずれが許容されることを考慮したものである。例えば、操作部品は、通常平坦に構成される筐体前側から突出して、本発明による通話装置の使用者に対向することができる。
【００４１】
本発明の別の有利な実施形態では、スピーカの位置の決定は、音放出面が筐体前部に対して相対的に傾斜して配置されるように、スピーカの位置を決めるとの特別な手法により行なわれる。特に、スピーカの音放出面は、筐体前部に対して相対的に、例えば、４５°又は約４５°の鋭角に傾斜して配置される。
【００４２】
それによって、一方において、スピーカを固定、配置及び取り付けるための特に有利な手法であるが、それと同時に有利に使用される拡声部を特に有利に配置、固定及び構築する手法が可能になる。
【００４３】
本発明の有利な実施形態では、スピーカの音放出面は、筐体の側方筐体壁に対して平行な方向に、或いはほぼ平行な方向に向けられる。
【００４４】
この実施構成では、音放出面は、筐体前部に対して約９０°の方向に、或いはほぼ直角の方向に向けられる。また、既に前に述べた拡声部の助けを借りて、スピーカから筐体前部への音の案内形態を実現することができる。
【００４５】
本発明の別の有利な実施形態では、選択キーは、特に有利に構成される。それによると、選択キーの中の少なくとも幾つかが異なる位置を、即ち、有利には、三つの異なる位置を占めることができる。それには、選択キーが付勢されている第一の、特に、非動作状態の中央位置が含まれる。更に、選択キーは、動作状態の二つの動作位置又は停止位置、即ち、第一の、例えば、上方の停止位置と、第二の、例えば、下方の停止位置とを有する。
【００４６】
使用者の指又は手による把持によって、使用者は、中央位置を出発点として、選択キーを上方の停止位置の方に、或いはそれに代わって、下方の停止位置の方に移動させ、それにより操作することができる。選択キーが上方の停止位置に到達すると、その通話装置の操作員が、別の通話装置の操作員との直接的な通話接続を構築する。選択キーを別の停止位置に移動した場合、操作員は、その別の通話装置との直接的な聴取接続を構築する。それに対応する通話接続又は聴取接続は、操作員が選択キーをその停止位置に保持している、即ち、停止位置の方に押している間だけ維持される。操作員が選択キーを解除すると、選択キーは、ばねによる付勢のために、その中央位置に自動的に戻る。
【００４７】
本発明の別の有利な実施形態では、通話装置には、二つのスピーカが配置される。それによって、特に、オーディオ信号のステレオ受信が可能になる。
【００４８】
更に、本発明は、少なくとも一つのスピーカをマイクロフォンモードで使用することをも可能にする。それによって、通話装置のオーディオモニタリングが可能になる。
【００４９】
本発明の別の有利な実施形態では、筐体前部に、側方において外側に向かって突出する固定区画が配置される。これは、更に有利には、それぞれ固定手段を通すための開口を有することができる。それによって、従来通り構成された通話装置に準拠して、取付フレームに、例えば、ラックに、本発明による通話装置を特に有利に簡単に固定することが可能になる。
【００５０】
本発明の別の有利な実施形態では、通話装置には、少なくとも一つのマイクロフォンが固定して位置される。それに代わって、或いはそれに追加して、通話装置の筐体前部に、マイクロフォン用の少なくとも一つの端子が固定して位置される。この端子は、例えば、従来のマイクロフォンジャックから構成することができる。この端子は、マイクロフォンを筐体前部に直に接続することを可能にする。
【００５１】
本発明の別の有利な実施形態では、筐体前部に、ヘッドセット用の少なくとも一つの端子が配置される。それにより、ヘッドセット、即ち、聴取用通話ユニットを通話装置に接続する快適な手法が提供される。
【００５２】
本発明の別の有利な実施形態では、開口部が把手部品により上方を覆われる。そのような把手部品は、操作員が通話装置を容易に捕捉又は把持して、快適に手に持って運ぶことを可能にする。
【００５３】
特に、取付フレーム又は取付台に対して相対的な通話装置の取り付け又は取り外しを行なうことを目的とする把手部品が有利であり、複数の把手部品が有る場合、そのような複数の把手部品が有利である。この場合、把手部品は、それらが開口部を部分的又は完全に跨ぐように配置及び位置決めすることができる。それによって、スピーカが発生する音の音放出面に関して、筐体前部の開口部の切欠きを特に省スペースな形で収容することが可能になる。それによって、筐体前部における操作部品及び／又はディスプレイを収容するための設置面又は配置面を一層最大化及び／又は最適化することができる。
【００５４】
本発明は、更に、請求項１７の特徴により上記の設定課題を解決する。
【００５５】
繰り返しを避けるために、請求項１７に基づく発明に対しても同様に成り立つ上記の実施形態を参照する。
【００５６】
請求項１７による通話装置では、インターコムネットワークの別の通話装置との本発明による通話装置の直接的な聴取接続及び／又は通話接続が中継装置を間に接続して実施されず、両方の通話装置又はインターコムネットワークの複数の通話装置が、中継装置を間に接続せずに、直に相互接続されると規定される。
【００５７】
本発明の更なる利点は、ここで引用していない従属請求項から、並びに以下における図面に図示された実施例の説明に基づき明らかになる。
【図面の簡単な説明】
【００５８】
【図１】本発明による通話装置の一つの実施例の筐体前部の模式的な前面図
【図１ａ】選択キーの操作部品の異なる姿勢及び位置を説明するために図１のほぼ部分円Ｉａの辺りを拡大した選択キーの模式的な個別図
【図２】図１の通話装置の模式的な裏面図
【図３】図１のほぼ断面線ＩＩＩ−ＩＩＩに沿った部分断面を図示した図１の通話装置の模式的な平面図（見易くするために、多数の個別部品が省略されている）
【図４】本発明による三つの通話装置を使用するインターコムネットワークの実施例の模式的なブロック図
【図５】従来技術による通話装置の筐体前部の模式図
【図６】図３の図面のスピーカの接続領域における図３のほぼ部分円ＶＩの辺りを抜き出して拡大した模式的な詳細図
【図７】図６の図面において筐体前部に対する相対的なスピーカの音放出面の傾斜を変更したスピーカの代替配置形態の模式図
【図８】音放出面のための開口部の上方を覆う把手部品が筐体前部に配置された通話装置の別の実施例の部分的に破断された模式的な斜視図
【図９】筐体前部に対するスピーカの音放出面の向きを変えたスピーカの別の代替配置形態による図７と同様の模式図（この図では、図６及び図７の図面と比べて、筐体の別の、即ち、図３とは別の右の側壁が図示され、図９のスピーカの音放出面は、筐体の一つの側壁に対してほぼ平行な方向に向けられている）
【図１０】図４の図面の本発明による二つの通話装置を使用する本発明によるインターコムネットワークの別の実施例の模式図（図１０の二つの通話装置は、中継装置を間に接続すること無く、直に相互接続されている）
【発明を実施するための形態】
【００５９】
以下の図面による記述において、図面も参照して、本発明の実施例を例示する。この場合、見易くするために、その限りにおいて、異なる実施例に関しても、同じ、或いは比較可能な部分、部品又は領域は、（部分的に、小文字を付けた）同じ符号により表示されている。
【００６０】
本発明の範囲内において、一つの実施例だけに関して述べた特徴は、本発明の如何なる別の実施例の場合にも規定することができる。そのような変更された実施例は、（符号で表示されていない場合でも）共に本発明に含まれる。
【００６１】
開示された全ての特徴は、個々において本発明にとって重要である。そのため、付属する優先書類（先願のコピー）、従来技術の引用文献とそこに記載された装置の全内容は、それらの書類の個々又は複数の特徴を本出願の一つ、或いは複数の請求項に統合するとの目的のためにも、共に本出願の開示に組み込まれる。
【００６２】
これらの実施例の図面では、通話装置は、全体として符号１０で表示されている。この通話装置は、図４のブロック図により図示されている通り、インターコムネットワーク１１の構成要素又は加入機器である。そのようなインターコムネットワーク１１は、接続配線４８ａ，４８ｂ，４８ｃを介して互いに接続された、一つの中継装置１９と多数の通話装置１０，１８ａ，１８ｂを有する。通話装置１０，１８ａ，１８ｂは、それぞれ接続配線４８ａ，４８ｂ，４８ｃを介して中継装置１９と直に接続されている。この中継装置１９は、そのインターコムネットワーク１１を管理している。
【００６３】
このインターコムネットワーク１１は、オーディオを伝送する役割を果たし、例えば、音楽イベントやスポーツイベントなどのライブの催し物の場合などに、例えば、一時的に構築されるネットワークを提供する。
【００６４】
本発明による通話装置１０は、図１によると、ほぼ平行６面体形状に形成された筐体１２を有する。図１には、筐体１２の前部１２が図示され、図２では、筐体１２の筐体裏側１４が図示され、図３では、本発明のその実施例に基づく筐体１２の横断面が図示されており、そのため、そこでは、筐体前部１３、筐体裏側１４及び筐体１２内の収容空間２５を見ることができる。
【００６５】
図１によると、筐体前部１３には、多数の操作部品１５ａ，１５ｂ，１５ｃが配置されており、その中の数個だけに符号が付与されている。この実施例では、操作部品は、二列に、全体として四つのグループに分けて配置されている。
【００６６】
これらの操作部品１５ａ，１５ｂ，１５ｃは、それぞれ選択キー１７ａ，１７ｂ，１７ｃ，１７として構成され、又もや幾つかの選択キーだけに符号が付与されている。
【００６７】
そのような選択キー１７は、それぞれ（図１ａによると）図１ａの部分図により拡大して図示されている操作レバー４９を有する。そのため、この操作レバー４９は、図１の観察者に対向して、筐体前部１３から突出したレバー部材４９から成り、使用者の指が、そのレバー部材の自由端を掴んで、中央位置４０を出発点として、垂直方向３１に沿って上方の停止位置４１ａに、或いは垂直方向３１に沿ってその逆方向に下方の停止位置４１ｂに移動させることができる。停止位置４１ａ，４１ｂに有る変位されたレバー部材４９は、中央位置４０に向かってばねにより付勢されている。従って、操作員がレバー部材４９を解除すると、それは、自動的に中央位置４０に戻される。
【００６８】
操作員が選択キー１７，１７ａ，１７ｂ，１７ｃを操作して、その停止位置４１ａ，４１ｂに移動させた場合、選択された通話装置１８ａとの直接的な聴取接続及び／又は通話接続が構築される。そのようにして、例えば、停止位置４１ａでは、通話接続を実現することができ、停止位置４１ｂでは、聴取接続を実現することができる。異なる動作モードは、スピークモード／リッスンモードとも呼ばれる。
【００６９】
図１ａを参照すると、操作部品４９が、三つの異なる位置３９ａ，３９ｂ及び３９ｃを占め得ることが分かる。
【００７０】
この実施例では、更に、四つのディスプレイ１６ａ，１６ｂ，１６ｃ，１６ｄが筐体１２の筐体前部１３に配置されている。これらのディスプレイ１６ａ，１６ｂ，１６ｃ，１６ｄの数と選択キーの数は、当然のことながら任意である。
【００７１】
しかし、基本的に、本発明による通話装置１０では、一方において、多数の操作部品、ディスプレイ及び端子を収容するが、他方において、部品の快適で確実な操作及び視認性をも実現するために、多数の操作部品１５ａ，１５ｂ，１５ｃ，１５ｄとディスプレイ１６ａ，１６ｂ，１６ｃ，１６ｄを筐体前部１３に密に混み合って配置できることが重要である。
【００７２】
図１の実施例では、筐体前部１３には、選択キー１７，１７ａ，１７ｂ，１７ｃの近くに多数の端子が配備されており、図１は、そのようなマイクロフォン端子４５とヘッドセット端子４６を図示している。このマイクロフォン端子４５は、ジャックプラグ用のジャックとして構成することができ、このヘッドセット端子４６は、ＸＬＲオス用ジャック端子として構成することができる。
【００７３】
最後に、図１の実施例では、筐体前部１３には、更に二つのＵＳＢ端子５２ａ，５２ｂも配備されている。
【００７４】
更に、筐体前部１３は、一定数の開口４３が配置された、側方において外側に向かって突出した固定区画４２ａ，４２ｂを有する。この側方の固定区画４２ａ，４２ｂを用いて、ラック又は組立フレームへの通話装置１０の固定を行なうことができる。そのために、図示されていない固定手段が、これらの開口４３を貫通することができる。
【００７５】
これらの側方の固定区画４２ａ，４２ｂと、操作部品１５ａ，１５ｂ，１５ｃ，１５ｄ及びディスプレイ１６ａ，１６ｂ，１６ｃ，１６ｄ用の設置面５３との間には、スリット３０ａ，３０ｂの形式に形成された二つの開口部２８ａ，２８ｂが配置されている。それらは、スピーカ２４ａ，２４ｂが発生する音のための放出開口部である。
【００７６】
図３の図面により最も良く明らかになる通り、筐体１２の内部空間５４は、筐体１２の筐体前部１３、筐体裏側１４及び側方壁面３５ａ，３５ｂにより取り囲まれている。更に、筐体１２は、底部壁５５と、図３に図示されておらず、図１に図示された天井壁５６とを有する。即ち、内部空間５４は、これら六つの壁面区画により境界を画定されている。
【００７７】
ボード、プロセッサ、コンデンサ、場合によっては、変圧器やそれら以外の電子部品などの筐体１２の内部空間５４に配置すべき多数の構成部品とケーブル及び配線は図示されていない。しかし、当業者には、筐体前部１３の各端子４５，４６，５２ａ，５２ｂ及び各操作部品１５ａ，１５ｂ，１５ｃ，１５ｄにまで電気配線が延びることは明らかである。
【００７８】
同じことが、筐体裏側１４に配置すべき端子にも言える。即ち、筐体１２内には、少なくない配線負担が生じる。
【００７９】
図３の実施例が明らかにする通り、筐体１２の内部空間５４には、第一のスピーカ２４ａと第二のスピーカ２４ｂが配置されている。図面に図示されていない本発明の別の実施例では、通話装置１０は、一つのスピーカ２４だけを有する。
【００８０】
スピーカ２４ａは、筐体前部１３から、ずれ２６の分だけ離れて配置されている。この実施例では、ずれ２６は、筐体１２の内部空間５４の奥行きＴの凡そ半分である。このずれ２６は、筐体前部１３の内側５７と、その内側５７の最も近くに有る、スピーカ２４の区画５８との間で測定される。
【００８１】
有利には、本発明による通話装置では、このずれ２６は、筐体１２の内部空間５４の奥行きＴの少なくとも１０％、更に特別には、少なくとも２０％、更に特別には、少なくとも２５％、更に特別には、少なくとも３０％である。
【００８２】
図３の実施例では、スピーカ２４，２４ａ，２４ｂは、従来の所謂プランジャコイルスピーカである。そのようなの形式のスピーカを使用しているため、非常に良好なオーディオ再生品質を実現することができる。従来のスピーカに頼ることもできる。
【００８３】
そのようなプランジャコイルスピーカは振動板を有し、その寸法は、スピーカの大きさを決定する。図３の実施例によると、スピーカ２４は、ほぼ円形に形成された振動板の外径に一致する横方向の拡がりＱＳを有する。即ち、スピーカ２４ａは、振動板とちょうど同じ大きさの音放出面２７を有する。即ち、音放出面２７は、この横方向の拡がりＱＳに一致する直径を有する。
【００８４】
スピーカ２４ａが発生する音は、図６に詳細に図示された実施例により最も良く明らかになる通り、図６で符号５１により音波として表示されている。これらの音波は、スピーカ２４ａの放出面２７を出発点として、開口部２８又はスリット３０にまで案内される。その案内は、図面による実施例では、拡声部３６の配置により実現されている。この拡声部は、特に、部分的に湾曲して形成された壁面区画３７ａ，３７ｂを有し、そのため、拡声部３６の内部空間又は内側の横断面は、音放出面２７から開口部２８に向かって連続して小さくなっている。
【００８５】
その結果、この開口部２８は、音放出面２７よりも著しく小さい開口横断面２９を有する。
【００８６】
図６の実施例では、開口部２８は、幅Ｂ（図６を参照）と高さＨ（図１を参照）を有し、それらの高さＨと幅Ｂの積として、スピーカ２４ａの音放出面２７よりも著しく小さい開口部横断面２９を作り出している。この音放出面２７は、π×（ＱＳ／２）２の大きさである。
【００８７】
図１及び図６の観察及び音放出面２７と開口部２８の比較によって、一見して、音放出面２７が開口部２８よりも著しく大きいことが容易に分かる。
【００８８】
従って、筐体前部１３の開口部２８は、非常に小さくすることができる。それにより、筐体前部１３の設置面５３が最大化される。即ち、多数の操作部品１５ａ，１５ｂ，１５ｃ，１５ｄ、特に、選択キー１７，１７ａ，１７ｂ，１７ｃ、ディスプレイ１６ａ，１６ｂ，１６ｃ，１６ｄ及び端子５２ａ，５２ｂ，４５，４６を筐体前部１３に収容することができる。
【００８９】
図６の実施例では、音放出面２７は、筐体前部１３に対して４５°の角度（符号α）で配置されている。
【００９０】
図７の実施例では、スピーカ２４は、それと比べて異なる形で位置決めされており、そこでは、音放出面２７は、筐体前部１３に対して平行な方向に向けられている。しかし、その場合でも、筐体前部１３の内側５７と音放出面２７の間に非常に大きなずれ２６が設けられている。図７の実施例でも、拡声部３６は、壁面区画３７ａ，３７ｂを備えている。
【００９１】
図面に図示されていない本発明の別の実施例では、拡声部３６は、筐体１２の区画３５ａ，５７の内面から形成するか、或いは部分的に形成することもできる。
【００９２】
図９の実施例では、図６及び図７の図面に対して僅かに変更された図面が描かれている。
【００９３】
そこでは、図３に関して側方に有る筐体１２の右側の壁面３６ｂとそれに対応する図３に関して筐体前部１３の左側の区画が図示されている。
【００９４】
スピーカ２４ｃは、側壁３５ｂに対して平行な方向に向けられた音放出面２７ｃを有する。
【００９５】
そこでは、拡声部３６は、壁面区画３７ａ，３７ｂにより提供され、拡声部３６の壁面区画３７ａは、側壁３５ｂの内側５９に一致する。
【００９６】
スピーカ２４ｃを筐体１２の側壁３５ｂに直に固定することを可能にする固定部品６０が見える。
【００９７】
図９では、ボードが符号６１で表示され、その上には、多数の電子部品を配置することができる。例えば、符号６２により、所定の高さ６３と所定の幅６４を有する電子部品が表示されている。
【００９８】
図９を観察すると、部品６２と筐体側壁３５ｂの間に残る自由空間が、スピーカの横方向の拡がりＱＳよりも小さい内側の幅６５を有することが分かる。
【００９９】
即ち、本発明に基づき筐体前部１３に対してスピーカ２４ｃを後方に移動するか、或いは後方にずらすことによって、先ず第一に、図９に図示されたボード６１上の位置に電子部品６２を配置する手法が得られる。
【０１００】
図９では、見易くするために、音放出開口部１９，２０，３０が筐体壁１２に図示されていないが、当然のことながら存在することを補足しておきたい。
【０１０１】
図１によると、開口部２８は、スリット３０の形態による筐体前部１３の切欠きとして設けられている。そのスリットは、垂直方向３１に長く延びるように形成されている。それによって、筐体前部１３における非常に狭く小さい開口部が実現可能になる。
【０１０２】
筐体前部１３は、図１が明らかにする通り、四角形の基礎面３３を有する。この実施例の通り基礎面の側方縁部３４ａ，３４ｂの領域に二つのスリット３０ａ，３０ｂを位置決めすると規定するのが有利である。そのようにして、操作部品１５ａ，１５ｂ，１５ｃ，１５ｄ及びディスプレイ１６ａ，１６ｂ，１６ｃ，１６ｄ用の設置面５３を切れ目無く最大化することができる。
【０１０３】
完璧にするために、図２の実施例に基づき、更に筐体１２の裏側を説明する。そこには、単に例として図示された多数の端子２０ａ，２０ｂ，２０ｃ，２０ｄ，２０ｅ，２０ｆ，２０ｇ，２０ｈ，２０ｉが有る。例えば、２２０Ｖの電力配線網に通話装置１０を接続することを可能にする電源端子２１が見える。更に、電力網端子を更に引き延ばすための端子５０が配備されている。その端子５０には、その限りにおいて、電力網電圧を必要とする別の電気機器又は電子機器を繋ぐことができる。
【０１０４】
更に、筐体裏側１４には、データケーブル端子２２ａ，２２ｂ，２２ｃが配置されている。この場合、それらは、例えば、ＨＤＭＩ、ＧＰＩＯ、デュアル・イーサネット、アナログ４線などの異なるプラグ形状のための様々なジャック、或いはそれら以外の端子であるとすることができる。図２は、ＢＮＣケーブルを繋げるためのＢＮＣ端子ジャック２３も図示している。
【０１０５】
最後に図８の実施例が明らかにする通り、別の実施例では、スリット３０ａ，３０ｂの上方を覆う把手部品４７ａ，４７ｂが配備されている。これらの把手部品４７ａ，４７ｂは、同様に通話装置１０の基礎面３３の側方縁部３４ａ，３４ｂの領域に配置されている。
【０１０６】
以下において、図５に基づき、従来技術による通話装置１０’も簡単に説明する。
【０１０７】
図５の従来技術による通話装置１０’に関しては、簡単化のために、それぞれアポストロフィを付加した同じ符号を使用している。
【０１０８】
図５の通話装置１０’は、従来技術においても、既に、ディスプレイ１６ａ’，１６ｂ’としても機能することができるプログラミング可能な操作部品１５ａ’，１５ｂ’を有する。ここでは、固定して設置された図示されていないスピーカ用の開口部は、符号２８’を付与されている。
【０１０９】
この音を放出するための開口部２８’の開口横断面２９’は、ここでは、図５で見ることができない、観察者が図５を見る方向に関して筐体前部１３’の後方に有るスピーカと同じ大きさで構成されている。
【０１１０】
本発明による実施例では、筐体前部１３の開口部２８は、如何なる部品からも自由である。しかし、本発明には、開口部２８に全体的に、或いは部分的に（筐体内のスピーカのための別の音放出開口部でも一般的に使用されている）プラスチック又は織物材料から成るスピーカ格子又はマットを混在又は挿入する場合も含まれる。
【０１１１】
ここで、補足すると、図１０を参照して、インターコムネットワーク１１の本発明による別の実施例では、本発明による通話装置１０が、中継装置を間に接続すること無く、接続配線６６を介して、インターコムネットワーク１１の別の通話装置１８と直に接続されることを説明しておきたい。
【符号の説明】
【０１１２】
１０    本発明による通話装置
１０’  従来技術による通話装置
１１    インターコムネットワーク
１２    筐体
１３    筐体前部
１３’  従来技術による筐体前部
１４    筐体裏側
１５ａ，１５ｂ，１５ｃ，１５ｄ          操作部品
１５ａ’，１５ｂ’                      従来技術による操作部品
１６ａ，１６ｂ，１６ｃ，１６ｄ          ディスプレイ
１６ａ’，１６ｂ’                      従来技術によるディスプレイ
１７，１７ａ，１７ｂ，１７ｃ，１７ｄ    選択キー
１８ａ，１８ｂ                別の通話装置
１９    中継装置
２０ａ，２０ｂ，２０ｃ，２０ｄ，２０ｅ，２０ｆ，２０ｇ，２０ｈ，２０ｉ  端子
２１    電源端子
２２ａ，２２ｂ，２２ｃ        データケーブル端子
２３    ＢＮＣ端子ジャック
２４，２４ａ，２４ｂ，２４ｃ  スピーカ
２５    収容空間
２６    ずれ
２７，２７ｃ                  音放出面
２８，２８ａ，２８ｂ          開口部
２８’  従来技術による開口部
２９    開口横断面
２９’  従来技術による開口横断面
３０，３０ａ，３０ｂ          スリット
３１    垂直方向
３４ａ，３４ｂ                側方縁部
３５，３５ａ，３５ｂ          側方壁面
３６    拡声部
３７ａ，３７ｂ                壁面区画
３９ａ，３９ｂ，３９ｃ        選択キーの位置
４０    中央位置
４０ａ  上方の停止位置
４０ｂ  下方の停止位置
４２ａ，４２ｂ                固定区画
４３    開口
４５    マイクロフォン端子
４６    ヘッドセット端子
４７ａ，４７ｂ                把手部品
４８ａ，４８ｂ，４８ｃ        接続配線
４９    操作レバー
５０    電源延伸端子
５２ａ，５２ｂ                ＵＳＢ端子
５３    設置面
５４    内部空間
５５    底部壁
５６    天井壁
５７    筐体前部１３の内側
５８    スピーカ２４の区画
５９    側壁３５ｂの内側
６０    固定部品
６１    ボード
６２    電子部品
６３    電子部品の高さ
６４    電子部品の幅
６５    内側の幅
６６    接続配線
Ｂ      開口部２８の幅
Ｈ      開口部２８の高さ
Ｔ      内部空間５４の奥行き
ＱＳ    スピーカの横方向の拡がり
Ｉａ    部分円
ＩＩＩ−ＩＩＩ                断面線
ＶＩ    部分円
α      傾斜角
【図１】
2019103131.tif 000003
【図１ａ】
2019103131.tif 000004
【図２】
2019103131.tif 000005
【図３】
2019103131.tif 000006
【図４】
2019103131.tif 000007
【図５】
2019103131.tif 000008
【図６】
2019103131.tif 000009
【図７】
2019103131.tif 000010
【図８】
2019103131.tif 000011
【図９】
2019103131.tif 000012
【図１０】
2019103131.tif 000013
【外国語明細書】
2019103131000001.pdf